(57)【要約】【課題】ユーザが、サーバに登録されるコンテンツを閲覧する際の手間を低減しつつ、かつ第三者に閲覧される可能性を低減する通信システム、マスタ端末機、スレーブ端末機及び通信方法を提供する。【解決手段】マスタ端末機と、スレーブ端末機との間において所定の範囲内で無線回線により直接通信し、マスタ端末機が、デジタルコンテンツの保存先を示す保存先アドレスを生成する保存先アドレス生成部と、保存先アドレスが示す保存先へのアクセスを許可するか否かの判定に用いられる認証情報を生成する認証情報生成部と、スレーブ端末機へ保存先アドレス及び認証情報を含むアクセス情報を送信する送信部とを具備し、スレーブ端末機が、マスタ端末機から送信されたアクセス情報を受信する受信部と、受信したアクセス情報とリンク付けされ、スレーブ端末機の利用者によって選択可能に表示部に表示されるリンク情報を生成するリンク情報生成部とを具備する。【選択図】図１
2007174388.tif 000002
【特許請求の範囲】
【請求項１】
マスタ端末機と、表示部を有する一つ又は複数のスレーブ端末機との間において所定の範囲内で無線回線により直接通信する通信システムであって、
前記マスタ端末機が、
デジタルコンテンツの保存先を示す保存先アドレスを生成する保存先アドレス生成部と、
前記保存先アドレスが示す保存先へのアクセスを許可するか否かの判定に用いられる認証情報を生成する認証情報生成部と、
前記スレーブ端末機へ前記保存先アドレス及び前記認証情報を含むアクセス情報を送信する送信部とを具備し、
前記スレーブ端末機が、
前記マスタ端末機から送信された前記アクセス情報を受信する受信部と、
受信した前記アクセス情報とリンク付けされ、スレーブ端末機利用者によって選択可能に前記表示部に表示されるリンク情報を生成するリンク情報生成部と
を具備することを特徴とする通信システム。
【請求項２】
表示部を有する一つ又は複数のスレーブ端末機との間において所定の範囲内で無線回線により直接通信するマスタ端末機であって、
デジタルコンテンツの保存先を示す保存先アドレスを生成する保存先アドレス生成部と、
前記保存先アドレスが示す保存先へのアクセスを許可するか否かの判定に用いられる認証情報を生成する認証情報生成部と、
前記スレーブ端末機へ前記保存先アドレス及び前記認証情報を含むアクセス情報を送信する送信部とを具備することを特徴とするマスタ端末機。
【請求項３】
各前記スレーブ端末機から、前記スレーブ端末機に対応付けられている通知先を示す通知先アドレスを受信するアドレス受信部と、
前記デジタルコンテンツと前記認証情報とを前記保存先へアップロードするアップロード処理部と、
前記通知先アドレスに基づいて、前記デジタルコンテンツと前記認証情報とをアップロードしたことを、前記スレーブ端末機へ通知する通知部とをさらに具備することを特徴とする請求項２に記載のマスタ端末機。
【請求項４】
前記アドレス受信部は、前記スレーブ端末機との通信によりスレーブ端末機利用者のユーザ名を取得し、
前記送信部は、マスタ端末機利用者のユーザ名を含むアクセス情報を前記スレーブ端末機へ送信することを特徴とする請求項３に記載のマスタ端末機。
【請求項５】
マスタ端末機との間において所定の範囲内で無線回線により直接通信し、表示部を有する一つ又は複数のスレーブ端末機通信であって、
デジタルコンテンツの保存先を示す保存先アドレスと前記保存先アドレスが示す保存先へのアクセスを許可するか否かの判定に用いられる認証情報とを含むアクセス情報を受信する受信部と、
受信した前記アクセス情報とリンク付けされ、スレーブ端末機利用者によって選択可能に前記表示部に表示されるリンク情報を生成するリンク情報生成部と
を具備することを特徴とするスレーブ端末機。
【請求項６】
前記スレーブ端末機は、
自分に対応付けられている通知先を示す通知先アドレスを前記マスタ端末機へ送信するアドレス送信部と、
前記マスタ端末機の前記通知部からの通知を受けたことを前記スレーブ端末機利用者に報知する報知部と
を具備することを特徴とする請求項５に記載のスレーブ端末機。
【請求項７】
前記スレーブ端末機は、
前記表示部に表示される前記リンク情報が選択された場合、前記リンク情報にリンク付けされる前記アクセス情報を用いて、前記デジタルコンテンツの前記保存先にアクセスする許可を取得して、前記保存先にアクセスするアクセス処理部をさらに具備することを特徴とする請求項６に記載のスレーブ端末機。
【請求項８】
前記スレーブ端末機は、
前記アクセス情報を識別する識別子を生成する識別子生成部をさらに具備することを特徴とする請求項６に記載のスレーブ端末機。
【請求項９】
前記スレーブ端末機は、
前記識別子と、前記アクセス情報とを他の機器へ転送する転送部をさらに具備することを特徴とする請求項８に記載のスレーブ端末機。
【請求項１０】
前記報知部は、前記マスタ端末機の前記通知部からアップロードの通知を受けた場合、
アップロードされていない前記識別子よりも、アップロードされた前記識別子を前記表示部の表示領域に優先して表示することを特徴とする請求項８に記載のスレーブ端末機。
【請求項１１】
マスタ端末機と、表示部を有する一つ又は複数のスレーブ端末機との間において所定の範囲内で無線回線により直接通信する通信方法であって、
前記マスタ端末機が、
デジタルコンテンツの保存先を示す保存先アドレスを生成する保存先アドレス生成ステップと、
前記保存先アドレスが示す保存先へのアクセスを許可するか否かの判定に用いられる認証情報を生成する認証情報生成ステップと、
前記スレーブ端末機へ前記保存先アドレス及び前記認証情報を含むアクセス情報を送信する送信ステップとを具備し、
前記スレーブ端末機が、
前記マスタ端末機から送信された前記アクセス情報を受信する受信ステップと、
受信した前記アクセス情報とリンク付けされ、スレーブ端末機利用者によって選択可能に前記表示部に表示されるリンク情報を生成するリンク情報生成ステップと
を具備することを特徴とする通信方法。
【発明の詳細な説明】
【技術分野】
【０００１】
本発明は、マスタ端末機と、表示部を有する一つ又は複数のスレーブ端末機との間において所定の範囲内で無線回線により直接通信する通信システム、マスタ端末機、スレーブ端末機及び通信方法に関する。
【背景技術】
【０００２】
近年、通信インフラの整備及び情報通信技術の発展により、インターネット等のネットワークを利用した様々な情報提供サービスが普及している。
【０００３】
具体的には、ユーザが、ユーザ自身の保有する画像データ等のコンテンツを特定のサーバに登録し、登録した当該サーバを、インターネットを介して他のユーザに公開するサービスなどがある（例えば、特許文献１参照）。
【０００４】
特許文献１に開示される技術は、サーバのＵＲＬ（Ｕｎｉｆｏｒｍ Ｒｅｓｏｕｒｃｅ Ｌｏｃａｔｏｒ）や、ユーザＩＤ及びパスワード等の認証情報を、電子メールを使用して特定のユーザに通知するように構成されている。
【０００５】
また、特許文献１で開示される技術では、当該通知を受けたユーザが、当該電子メールに含まれる当該サーバのＵＲＬ及び認証情報に基づいて、ブラウザを起動した後、認証情報を入力することで当該サーバに接続し、登録される画像データ等のコンテンツを閲覧するように構成されている。
【０００６】
上述するような従来技術を使用することで、当該電子メールを友人等の特定のユーザに限定して送信し、旅行先等で撮影した画像データなどのコンテンツを、友人等のグループ内で閲覧して楽しむことが出来る。
【特許文献１】特開２００３−３３１０４７号公報
【発明の開示】
【発明が解決しようとする課題】
【０００７】
また、ユーザの画像データ等のコンテンツは、グループ内のユーザのみに限定して公開することが望ましい。
【０００８】
しかしながら、上述した特許文献１に係る技術は、サーバのＵＲＬや認証情報を、電子メールを使用して友人等の他のユーザに通知している。
【０００９】
電子メールによるサーバのＵＲＬ及び認証情報の通知は、グループメンバー以外の第三者が管理するメールサーバ等を経由するため、第三者にサーバに接続されてコンテンツを閲覧される可能性がある。
【００１０】
また、特許文献１に係る技術では、電子メールによる通知を受けたユーザが、受信した電子メールに含まれるサーバのＵＲＬ及び認証情報に基づいて、ブラウザを起動し、認証情報を入力する必要があり、手間がかかった。
【００１１】
そこで、本発明は以上の点に鑑みてなされたもので、ユーザが、サーバに登録されるコンテンツを閲覧する際の手間を低減しつつ、かつ第三者に閲覧される可能性を低減する通信システム、マスタ端末機及びスレーブ端末機、通信方法を提供することを目的とする。
【課題を解決するための手段】
【００１２】
本発明の第１の特徴は、マスタ端末機と、表示部を有する一つ又は複数のスレーブ端末機との間において所定の範囲内で無線回線により直接通信する通信システムであって、前記マスタ端末機が、デジタルコンテンツの保存先を示す保存先アドレスを生成する保存先アドレス生成部と、前記保存先アドレスが示す保存先へのアクセスを許可するか否かの判定に用いられる認証情報を生成する認証情報生成部と、前記スレーブ端末機へ前記保存先アドレス及び前記認証情報を含むアクセス情報を送信する送信部とを具備し、前記スレーブ端末機が、前記マスタ端末機から送信された前記アクセス情報を受信する受信部と、受信した前記アクセス情報とリンク付けされ、スレーブ端末機利用者によって選択可能に前記表示部に表示されるリンク情報を生成するリンク情報生成部とを具備することを要旨とするものである。
【００１３】
かかる発明によれば、所定の範囲内で、マスタ端末機及びスレーブ端末機を、無線回線により直接通信できるので、マスタ端末機とスレーブ端末機とが近接して、相手を確認しながら通信することが可能になる。よって、マスタ端末機から、スレーブ端末機へ保存先アドレスと認証情報とを送信する際、第三者に取得されることを低減できる。
【００１４】
また、保存先アドレスと認証情報とを含むアクセス情報にリンク付けされるリンク情報を生成できるので、スレーブ端末機において、当該リンク情報を使用すれば、容易に保存先アドレスと、認証情報を使用したデジタルコンテンツへのアクセスをすることが可能になる。
【００１５】
本発明の第１の特徴において、前記マスタ端末機は、各前記スレーブ端末機から、前記スレーブ端末機に対応付けられている通知先を示す通知先アドレスを受信するアドレス受信部と、前記デジタルコンテンツと前記認証情報とを前記保存先へアップロードするアップロード処理部と、前記通知先アドレスに基づいて、前記デジタルコンテンツと前記認証情報とをアップロードしたことを、前記スレーブ端末機へ通知する通知部とを具備し、前記スレーブ端末機は、自機器に対応付けられている通知先を示す通知先アドレスを前記マスタ端末機へ送信するアドレス送信部と、前記マスタ端末機の前記通知部からの通知を受けたことをスレーブ端末機利用者に報知する報知部とを具備してもよい。
【００１６】
かかる発明によれば、マスタ端末機が、デジタルコンテンツをアップロードした後、すぐにスレーブ端末機へ、通知することが出来るとともに、スレーブ端末機が、当該通知を受けたことをスレーブ端末機利用者に報知できる。よって、スレーブ端末機利用者は、デジタルコンテンツがアップロードされるとすぐに確認することができる。
【００１７】
本発明の第１の特徴において、前記アドレス受信部は、前記スレーブ端末機との通信により前記スレーブ端末機利用者のユーザ名を取得し、前記送信部は、マスタ端末機利用者のユーザ名を含むアクセス情報を前記スレーブ端末機へ送信してもよい。
【００１８】
本発明の第１の特徴において、前記スレーブ端末機は、前記表示部に表示される前記リンク情報が選択された場合、前記リンク情報にリンク付けされる前記アクセス情報を用いて、前記デジタルコンテンツの前記保存先にアクセスする許可を取得して、前記保存先にアクセスするアクセス処理部をさらに具備してもよい。
【００１９】
本発明の第１の特徴において、前記スレーブ端末機は、前記アクセス情報を識別する識別子を生成する識別子生成部をさらに具備してもよい。
【００２０】
本発明の第１の特徴において、前記スレーブ端末機は、前記識別子と、前記アクセス情報とを他の機器へ転送する転送部をさらに具備してもよい。
【００２１】
本発明の第１の特徴において、前記報知部は、前記マスタ端末機の前記通知部からアップロードの通知を受けた場合、アップロードされていない前記識別子よりも、アップロードされた前記識別子を前記表示部の表示領域に優先して表示してもよい。
【００２２】
本発明の第２の特徴は、表示部を有する一つ又は複数のスレーブ端末機との間において所定の範囲内で無線回線により直接通信するマスタ端末機であって、デジタルコンテンツの保存先を示す保存先アドレスを生成する保存先アドレス生成部と、前記保存先アドレスが示す保存先へのアクセスを許可するか否かの判定に用いられる認証情報を生成する認証情報生成部と、前記スレーブ端末機へ前記保存先アドレス及び前記認証情報を含むアクセス情報を送信する送信部とを具備することを要旨とする。
【００２３】
本発明の第２の特徴において、各前記スレーブ端末機から、前記スレーブ端末機に対応付けられている通知先を示す通知先アドレスを受信するアドレス受信部と、前記デジタルコンテンツと前記認証情報とを前記保存先へアップロードするアップロード処理部と、前記通知先アドレスに基づいて、前記デジタルコンテンツと前記認証情報とをアップロードしたことを、前記スレーブ端末機へ通知する通知部とをさらに具備してもよい。
【００２４】
本発明の第２の特徴において、前記アドレス受信部は、前記スレーブ端末機との通信によりスレーブ端末機利用者のユーザ名を取得し、前記送信部は、マスタ端末機利用者のユーザ名を含むアクセス情報を前記スレーブ端末機へ送信してもよい。
【００２５】
本発明の第３の特徴は、マスタ端末機との間において所定の範囲内で無線回線により直接通信し、表示部を有する一つ又は複数のスレーブ端末機通信であって、デジタルコンテンツの保存先を示す保存先アドレスと前記保存先アドレスが示す保存先へのアクセスを許可するか否かの判定に用いられる認証情報とを含むアクセス情報を受信する受信部と、
受信した前記アクセス情報とリンク付けされ、スレーブ端末機利用者によって選択可能に前記表示部に表示されるリンク情報を生成するリンク情報生成部とを具備することを要旨とするものである。
【００２６】
本発明の第３の特徴において、前記スレーブ端末機は、自分に対応付けられている通知先を示す通知先アドレスを前記マスタ端末機へ送信するアドレス送信部と、前記マスタ端末機の前記通知部からの通知を受けたことをスレーブ端末機利用者に報知する報知部とを具備してもよい。
【００２７】
本発明の第３の特徴において、前記スレーブ端末機は、前記表示部に表示される前記リンク情報が選択された場合、前記リンク情報にリンク付けされる前記アクセス情報を用いて、前記デジタルコンテンツの前記保存先にアクセスする許可を取得して、前記保存先にアクセスするアクセス処理部をさらに具備してもよい。
【００２８】
本発明の第３の特徴において、前記スレーブ端末機は、前記アクセス情報を識別する識別子を生成する識別子生成部をさらに具備してもよい。
【００２９】
本発明の第３の特徴において、前記スレーブ端末機は、前記識別子と、前記アクセス情報とを他の機器へ転送する転送部をさらに具備してもよい。
【００３０】
本発明の第３の特徴において、前記報知部は、前記マスタ端末機の前記通知部からアップロードの通知を受けた場合、アップロードされていない前記識別子よりも、アップロードされた前記識別子を前記表示部の表示領域に優先して表示してもよい。
【発明の効果】
【００３１】
以上説明したように、本発明によれば、携帯端末機のユーザが、サーバに登録されるコンテンツを閲覧する際の手間を低減しつつ、かつ第三者に閲覧される可能性を低減する通信システム、マスタ端末機及びスレーブ端末機、通信方法を提供することを目的とする。
【発明を実施するための最良の形態】
【００３２】
（本発明の第１実施形態に係る通信システムの構成）
本発明の第１実施形態に係る通信システムの構成について、図１乃至図６を参照して説明する。
【００３３】
図１は、かかる通信システムの全体図を示す全体構成図である。
【００３４】
図１において、インターネット１と移動通信ネットワーク２とは、ゲートウェイ３を介して接続されている。
【００３５】
ここで、本実施形態では、移動通信ネットワーク２は、携帯電話、ＰＨＳ、無線ＬＡＮ等の通信ネットワークを想定している。
【００３６】
また、コンテンツサーバ２０は、インターネット１と接続し、文字情報、画像情報、音楽情報等のコンテンツを保存するように構成されている。また、コンテンツサーバ２０には、外部の機器から、インターネット１を介してアクセスする場合、許可するか否かを判定する認証機能を備える。
【００３７】
具体的に、コンテンツサーバ２０は、認証情報を記憶する。そして、コンテンツサーバ２０は、外部の機器からコンテンツの保存先へのアクセスがあった際、記憶される認証情報と、当該外部の機器から送信される認証情報（例えばパスワード等）とを比較し、一致する場合のみ、アクセスを許可する。
【００３８】
また、本実施形態に係る通信システムは、複数の携帯端末機１０（携帯端末機１０ａと、携帯端末機１０ｂ〜ｎ）によって構成されている。
【００３９】
また、本実施形態に係る携帯端末機１０は、動画や静止画を撮像する機能及び表示する機能を有しており、携帯電話や、デジタルカメラ、ＰＤＡなどを想定している。
【００４０】
また、各携帯端末機１０は、無線回線を通じて所定の範囲内で他の携帯端末機１０と直接近距離無線通信を行うように構成されている。なお、当該近距離無線通信を行う際に使用される通信技術には、ブルートゥース（ＢＬＵＥＴＯＯＴＨ、商標登録）や、ＩｒＤＡや、ＩＥＥＥ８０２．１１、ＵＷＢ（Ｕｌｔｒａ  Ｗｉｄｅ  Ｂａｎｄ）、Ｚｉｇｂｅｅ、ＮＦＣ（Ｎｅａｒ  Ｆｉｅｌｄ  Ｃｏｍｍｕｎｉｃａｔｉｏｎ）等が使用されている。
【００４１】
また、携帯端末機１０は、無線回線を通じて移動通信ネットワーク２を介して他の携帯端末機１０と通信するように構成されている。
【００４２】
なお、本実施形態における携帯端末機１０ａは、マスタ端末機として機能し、携帯端末機１０ｂ〜ｎは、スレーブ端末機として機能する場合を例に説明する。
【００４３】
次に、図２を参照して、マスタ端末機である携帯端末機１０ａの構成について説明する。
【００４４】
図２に示すように、携帯端末機１０ａは、通信部１０１と、制御部１０２と、アクセス情報生成部１０３と、識別子生成部１０４と、リンク情報生成部１０５と、記憶部１０６と、アップロード処理部１０７と、表示部１０８とを具備している。
【００４５】
通信部１０１は、無線回線を通じて移動通信ネットワーク２を介して、携帯端末機１０ｂ〜ｎと通信するように構成されている。
【００４６】
通信部１０１は、スレーブ端末機である他の携帯端末機１０ｂ〜ｎとの間で上述する近距離無線通信を行うように構成されている。
【００４７】
また、通信部１０１は、コンテンツサーバ２０との間で通信を行うように構成されている。
【００４８】
ここで、通信部１０１とコンテンツサーバ２０との間における通信技術は、上述した近距離無線通信であってもよいし、ＵＳＢ等の有線回線技術を使用した通信であってもよい。
【００４９】
制御部１０２は、携帯端末機１０ａの各種機能を制御するように構成される。
【００５０】
また、本実施形態において、制御部１０２は、「グループＩＤ（例えば、Ｇ００１）」を生成するように構成されている。
【００５１】
また、制御部１０２は、スレーブ端末機である他の携帯端末機１０ｂ〜ｎに対応付けられている通知先を示す通知先アドレスを受信するように構成されている。
【００５２】
具体的に、制御部１０２は、携帯端末機１０ａ及び携帯端末機１０ｂ〜ｎの各利用者によるボタンの押下に基づいて、携帯端末機１０ｂ〜ｎとの間で、通信部１０１を介して、「ユーザ情報」を送受信するように構成されている。
【００５３】
ここで、「ユーザ情報」には、携帯端末機１０の利用者の「ユーザ名」と、「通知先アドレス」とが含まれている。
【００５４】
また、上述する「ユーザ名」は、携帯端末機１０のユーザ名であり、「通知先アドレス」は、例えば電子メールアドレスやＩＰアドレス等である。なお、上述する「ユーザ情報」には、携帯端末機１０のＩＤ（例えば、ＭＡＣアドレスやシリアル番号）を含んでいても良い。
【００５５】
また、制御部１０２では、上述する「ユーザ情報」の送受信を行う際に、各携帯端末機１０の利用者によるボタンの押下時刻に基づいて、当該押下時刻が最も早い携帯端末機１０が、グループにおけるマスタ端末機とし、その他をスレーブ端末機として決定するように構成されている。
【００５６】
そして、制御部１０２は、受信した「ユーザ情報」に含まれる「ユーザ名」と、「通知先アドレス」と、押下時刻に基づいて決定した「マスタ／スレーブ」とを含むグループ情報を生成するように構成されている。なお、当該「グループ情報」のイメージを図５（ａ）に示す。
【００５７】
また、制御部１０２は、携帯端末機１０ａの利用者の操作に基づいて、「グループ画像情報」と「画像数」とを生成するように構成されている。
【００５８】
具体的に、制御部１０２は、記憶部１０６に記憶される画像情報を、後述する表示部１１２に画像として表示させ、携帯端末機１０ａの利用者の操作に基づいて、表示された画像を選択するように構成されている。
【００５９】
ここで、画像情報とは、撮像する機能で撮像したデジタルコンテンツ（例えば、静止画像）である。
【００６０】
そして、制御部１０２は、選択された画像の画像情報のファイル名（例えば、画像１〜ｎ）を含む、「グループ画像情報」を生成するとともに、選択された「画像数」を生成するように構成されている。なお、当該「グループ画像情報」のイメージを図５（ｂ）に示す。
【００６１】
さらに、制御部１０２は、生成した「グループＩＤ」と、後述するアクセス情報生成部１０３で生成される「アクセス情報」とを関連付けて、通信部１０１を介して、スレーブ端末機である携帯端末機１０ｂ〜ｎへ送信するように構成されている。
【００６２】
なお、この時、制御部１０２は、当該「アクセス情報」及び当該「グループＩＤ」と共に、生成した「画像数」と、後述する「サムネイル」とを、携帯端末機１０ｂ〜ｎへ送信するように構成されていてもよい。
【００６３】
アクセス情報生成部１０３は、図３に示すように、ＵＲＬ情報生成部１０３１と、認証情報生成部１０３２とを具備している。
【００６４】
ＵＲＬ情報生成部１０３１は、デジタルコンテンツの保存先を示す保存先アドレスを生成するように構成される。
【００６５】
具体的に、ＵＲＬ情報生成部１０３１は、乱数を発生させる機能とカレンダー機能とを有しており、予め記憶するコンテンツサーバ２０のアドレスと、携帯端末機１０ａの利用者によってボタンが押下された年月日と、発生させた乱数とに基づいて、後述するコンテンツサーバ２０におけるデジタルコンテンツの保存先として、「ＵＲＬ情報」（Ｕｎｉｖｅｒｓａｌ  Ｒｅｓｏｕｒｃｅ  Ｌｏｃａｔｏｒ）を生成するように構成されている。下記にその一例を示す。
【００６６】
ｈｔｔｐ：／／ａｂｃ．ｃｏｍ／２００５１２０１ａｂ？１ｃ２ｄ５ｅｆ（サーバ名／年月日／乱数）
認証情報生成部１０３２では、コンテンツサーバ２０が、ＵＲＬ情報に示される保存先へのアクセスを許可するか否かの判定に用いられる認証情報を生成するように構成されている。
【００６７】
具体的に、認証情報生成部１０３２は、乱数を発生させる機能を有しており、発生させた乱数に基づいて、例えばパスワード等の認証情報を生成するように構成されている。かかる認証情報は、文字、数字、記号等により、数桁〜数十桁で生成される。
【００６８】
そして、ＵＲＬ情報生成部１０３１と認証情報生成部１０３２とを具備するアクセス情報生成部１０３は、ＵＲＬ情報生成部１０３１で生成された「ＵＲＬ情報」と、認証情報生成部１０３２で生成された「認証情報」とを含む「アクセス情報」を生成するように構成されている。なお、当該アクセス情報のイメージを図５（ｃ）に示す。
【００６９】
識別子生成部１０４は、「アクセス情報」を識別する識別子をとして、「ラベル情報」を生成するように構成されている。
【００７０】
具体的に、識別子生成部１０４は、カレンダー機能を有しており、当該ラベル情報を、アクセス情報生成部１０３において「アクセス情報」が生成された“年月日”で生成するように構成されている。また、かかるラベル情報は、携帯端末機１０にＧＰＳ機能がある場合、“緯度-経度”などの位置で生成されても良いし、他の携帯端末機１０（例えば、携帯端末機１０ｂ）の利用者のユーザ名などで生成されてもよい。なお、当該ラベル情報のイメージを図５（ｄ）に示す。
【００７１】
なお、識別子生成部１０４は、携帯端末機１０ａの利用者の操作に基づいて、ラベル情報の内容を、例えば“沖縄”等に変更できるように構成されている。
【００７２】
リンク情報生成部１０５は、アクセス情報生成部１０３で生成されたアクセス情報とリンク付けされ、携帯端末機１０ａの利用者によって選択可能に後述する表示部１０８に表示されるリンク情報を生成するように構成されている。
【００７３】
具体的に、リンク情報生成部１０５は、アクセス情報生成部１０３で生成されたアクセス情報に関連付けられる「グループＩＤ」に基づいて、当該「グループＩＤ」と関連付けられる「アイコン情報」を「リンク情報」として生成するように構成されている。また、かかるアイコン情報は、後述する表示部１０８でアイコンとして表示される。
【００７４】
また、リンク情報生成部１０５は、「サムネイル」と、「アクセス可／不可情報」とを生成するように構成されている。
【００７５】
ここで、サムネイルとは、制御部１０２で生成されたグループ画像情報に含まれる「ファイル名」が示す「画像情報」の中の一つを縮小化した情報である。
【００７６】
また、「アクセス可／不可情報」とは、コンテンツサーバ２０における保存先アドレス（ＵＲＬ情報）へのアクセスが可能か否かを判別する情報である。また、リンク情報生成部１０５は、生成時において、当該「アクセス可／不可情報」を “アクセス不可”として生成し、後述するアップロード処理が完了した場合、“アクセス可”に変換する。
【００７７】
当該「アクセス可／不可情報」のイメージを図５（ｅ）に示す。なお、具体的な表示は、後述する表示部１０８で説明する。
【００７８】
記憶部１０６は、携帯端末機１０ａで撮像されたデジタルコンテンツ（動画や静止画等）を記憶するように構成されている。
【００７９】
本実施形態において、記憶部１０６に記憶されるデジタルコンテンツは静止画像である場合を例に説明する。
【００８０】
また、記憶部１０６は、制御部１０２で生成された「グループ情報」と、「グループ画像情報」と、「画像数」と、アクセス情報生成部１０３で生成された「アクセス情報」と、識別子生成部１０４で生成された「ラベル情報」と、リンク情報生成部１０５で生成された「アイコン情報」と、「サムネイル」と、「アクセス可／不可情報」とを、「グループＩＤ」に関連づけて記憶するように構成されている。
【００８１】
アップロード処理部１０７は、保存先アドレスが示す保存先であるコンテンツサーバ２０へデジタルコンテンツと認証情報とをアップロードするように構成されている。
【００８２】
具体的に、アップロード処理部１０７は、携帯端末機１０ａの利用者により、後述する表示部１０８に表示されるアイコンが選択された場合、当該アイコンの「アイコン情報」に関連付けられている「グループＩＤ」に基づいて、当該「グループＩＤ」に関連付けられている「アクセス情報」を選択する。
【００８３】
そして、アップロード処理部１０７は、選択したアクセス情報に含まれる「認証情報」を、コンテンツサーバ２０の認証機能へ保存するように構成されている。
【００８４】
また、アップロード処理部１０７は、選択したアクセス情報に含まれる「ＵＲＬ情報」に示されるディレクトリを、コンテンツサーバ２０に作成するように構成されている。
【００８５】
また、アップロード処理部１０７は、「アイコン情報」に関連付けられている「グループＩＤ」に基づいて、当該「グループＩＤ」に関連付けられている「グループ画像情報」を選択するように構成されている。
【００８６】
そして、アップロード処理部１０７は、かかる「グループ画像情報」に含まれる「ファイル名」に基づいて、記憶部１０６に記憶される「画像情報」を選択し、選択した「画像情報」をコンテンツサーバ２０に作成したディレクトリへ保存するように構成されている。
【００８７】
上述するアップロード処理によって、コンテンツサーバ２０では、外部の機器がインターネット１を介して当該ＵＲＬ情報に示されるディレクトリへアクセスしても、保存された認証情報と同じ認証情報を送信しない外部の機器に対しては、当該ディレクトリへのアクセスが許可されない。
【００８８】
また、アップロード処理部１０７は、アップロード処理が完了すると、通知先アドレスに基づいて、デジタルコンテンツと認証情報とをコンテンツサーバ２０へアップロードしたことを携帯端末機１０ｂ〜ｎへ通知するように構成されている。
【００８９】
具体的に、アップロード処理部１０７は、上述したアップロード処理が完了した場合、「グループＩＤ」と携帯端末機１０ａ（マスタ）の利用者の「ユーザ名」と、アクセスが可能になったことを通知する「アクセス可」の情報とを含む「アップロード情報」を生成する。
【００９０】
そして、アップロード処理部１０７は、記憶部１０６に記憶される「通知先アドレス（例えば電子メールアドレス）」を使用して、生成した「アップロード情報」を携帯端末機１０ｂ〜ｎへ送信するように構成されている。当該「アップロード情報」のイメージを図５（ｆ）に示す。
【００９１】
表示部１０８は、記憶部１０６に記憶される「画像情報」を画像として表示するように構成されている。
【００９２】
また、表示部１０８は、記憶部１０６に記憶される「アイコン情報」を携帯端末機１０ａの利用者に選択可能なアイコンとして表示するように構成されている。
【００９３】
具体的に、表示部１０８は、「アイコン情報」と「サムネイル」と、「ラベル情報」と、「画像数」とを、アイコン、サムネイル画像、ラベル、画像数として表示するように構成されている。
【００９４】
図６には、表示部１０８に表示されるリンク情報の一例が示されている。
【００９５】
図６に示すように、アイコンＩ１０は、画像数Ｉ１１と、サムネイル画像Ｉ１２と共に表示部１０８で表示される。
【００９６】
また、表示部１０８は、「アクセス可／不可情報」が“アクセス不可”である場合、上述するサムネイル画像Ｉ１２を、例えば、グレー画像で表示し、“アクセス可”である場合、上述するサムネイル画像Ｉ１２をカラー画像で表示するように構成されている。
【００９７】
すなわち、表示部１０８は、上述するサムネイル画像Ｉ１２をカラー画像で表示することで、携帯端末機１０ａの利用者に、アップロードが完了したことを報知するように構成されている。
【００９８】
次にスレーブ端末機である携帯端末機１０ｂ〜ｎの構成について図４を参照して説明する。なお、携帯端末機１０ｂ〜ｎの構成は同様であるため、携帯端末機１０ｂの構成について説明する。
【００９９】
図４に示すように、携帯端末機１０ｂは、通信部２０１と、制御部２０２と、識別子生成部２０３と、リンク情報生成部２０４と、記憶部２０５と、アクセス処理部２０６と、表示部２０７とを具備する。
【０１００】
通信部２０１は、マスタ端末機である携帯端末機１０ａとの間で近距離無線通信を行うように構成されている。
【０１０１】
また、通信部２０１は、移動通信ネットワーク２との間で無線通信を行うように構成されている。
【０１０２】
また、通信部２０１は、移動通信ネットワーク２と、ゲートウェイ３と、インターネット１とを介して、コンテンツサーバ２０へアクセスするように構成されている。
【０１０３】
また、通信部２０１は、マスタ端末機である携帯端末機１０ａから送信され、「グループＩＤ」に関連付けられている「アクセス情報」を受信するように構成されている。
【０１０４】
また、通信部２０１は、マスタ端末機である携帯端末機１０ａから送信される「アップロード情報」を受信するように構成されている。
【０１０５】
制御部２０２は、携帯端末機１０ｂの各種機能を制御するように構成される。
【０１０６】
また、本実施形態において、制御部２０２は、携帯端末機１０ｂの利用者によるボタンの押下に基づいて、携帯端末機１０ａ（マスタ）及び他の携帯端末機１０ｃ〜ｎ（スレーブ）との間で、通信部２０１を介して、「ユーザ情報」を送受信するように構成されている。
【０１０７】
そして、制御部２０２は、受信したユーザ情報に含まれる「ユーザ名」と「通知先アドレス」と、生成した「マスタ／スレーブ情報」とを含む「グループ情報」を生成するように構成されている。
【０１０８】
なお、制御部２０２は、上述する「ユーザ情報」の送受信を行う際に、各携帯端末機１０の利用者によるボタンの押下時刻に基づいて、当該押下時刻が最も早い携帯端末機１０が、グループにおけるマスタ端末機とし、その他をスレーブ端末機として決定するように構成されている。
【０１０９】
識別子生成部２０３は、「アクセス情報」を識別する識別子として、「ラベル情報」を生成するように構成されている。
【０１１０】
具体的に、識別子生成部２０３は、カレンダー機能を有しており、かかる「ラベル情報」を、通信部２０１において「アクセス情報」が受信された“年月日”で生成するように構成されている。また、かかる「ラベル情報」は、携帯端末機１０にＧＰＳ機能がある場合、“緯度-経度”などの位置情報で生成されても良いし、携帯端末機１０ａ（マスタ）の利用者の“ユーザ名”などで生成されても良い。
【０１１１】
なお、識別子生成部２０３は、携帯端末機１０ａの利用者の操作に基づいて、「ラベル情報」の内容を変更できるように構成されている。
【０１１２】
リンク情報生成部２０４は、受信した「アクセス情報」とリンク付けされ、スレーブ端末機の利用者によって選択可能に、後述する表示部２０７に表示される「リンク情報」を生成するように構成されている。
【０１１３】
具体的に、リンク情報生成部２０４は、通信部２０１で受信された「アクセス情報」に含まれる「グループＩＤ」に基づいて、当該「グループＩＤ」と関連付けられる「アイコン情報」を生成するように構成されている。また、かかる「アイコン情報」は、後述する表示部２０７でアイコンとして表示される。
【０１１４】
また、リンク情報生成部２０４は、「アクセス可／不可情報」を生成するように構成されている。
【０１１５】
また、リンク情報生成部２０４は、初回の生成時において、「アクセス可／不可情報」を“アクセス不可”として生成し、通信部２０１で「アップロード情報」が受信された場合、当該「アップロード情報」に含まれる「アクセス可」の情報に基づいて、“アクセス可”に変換する。
【０１１６】
記憶部２０５は、制御部２０２で生成された「グループ情報」と、受信した「アクセス情報」と、識別子生成部２０３で生成された「ラベル情報」と、リンク情報生成部２０４で生成された「アイコン情報」と、「アクセス可／不可情報」とを、受信した「アクセス情報」に含まれる「グループＩＤ」に関連づけて記憶するように構成されている。
【０１１７】
なお、記憶部２０５は、携帯端末機１０ａから「サムネイル」や「画像数」が送信された場合、当該「サムネイル」や「画像数」も、「グループＩＤ」に関連付けて記憶する。
【０１１８】
アクセス処理部２０６は、Ｗｅｂブラウザの機能を有している。
【０１１９】
また、アクセス処理部２０６は、後述する表示部２０７に表示されるアイコンが選択された場合、アイコンのアイコン情報にリンク付けされるアクセス情報を用いて、デジタルコンテンツの保存先にアクセスする許可を取得して、保存先にアクセスするように構成されている。
【０１２０】
具体的に、アクセス処理部２０６は、携帯端末機１０ｂの利用者の操作により、表示部２０７に表示されるアイコンが選択された場合、当該アイコンの「アイコン情報」に関連付けられている「グループＩＤ」に基づいて、当該「グループＩＤ」に関連付けられている「アクセス情報」を選択する。
【０１２１】
また、アクセス処理部２０６は、選択した「アクセス情報」に含まれる「ＵＲＬ情報」に基づいて、移動通信ネットワーク２と、ゲートウェイ３と、インターネット１とを介して、コンテンツサーバ２０のディレクトリにアクセスするように構成されている。
【０１２２】
また、この時、アクセス処理部２０６は、選択した「アクセス情報」に含まれる「認証情報」を、コンテンツサーバ２０の認証機能へ送信するように構成されている。
【０１２３】
上述したコンテンツサーバ２０の認証機能では、アクセス処理部２０６が、「認証情報」を送信することによって、当該「ＵＲＬ情報」に示されるディレクトリへアクセスすることが許可される。
【０１２４】
表示部２０７は、記憶部２０５に記憶される「画像情報」を画像として表示するように構成されている。
【０１２５】
また、表示部２０７は、記憶部２０５に記憶される「アイコン情報」を携帯端末機１０ｂの利用者に選択可能に表示する。
【０１２６】
具体的に、表示部２０７は、「アイコン情報」と、「サムネイル」と、「ラベル情報」とを、アイコンＩ１０、サムネイル画像Ｉ１２、ラベルＩ１３として表示するように構成されている。
【０１２７】
また、表示部２０７では、リンク情報に含まれる「アクセス可／不可情報」が“アクセス不可”である場合は、上述するサムネイル画像Ｉ１２を、例えば、グレー画像で表示し、“アクセス可”である場合は、上述するサムネイル画像Ｉ１２をカラー画像で表示するように構成されている。
【０１２８】
具体的に、表示部２０７では、携帯端末機１０ａ（マスタ）から送信される「アップロード情報」を携帯端末機１０ｂ（スレーブ）が受信した場合、リンク情報生成部２０４が、「アクセス可／不可情報」を、“アクセス不可”から“アクセス可”に変換するので、サムネイル画像Ｉ１２をカラー画像で表示する。
【０１２９】
したがって、表示部２０７は、上述するサムネイル画像Ｉ１２をカラー画像で表示することで、携帯端末機１０ｂの利用者に、アップロードが完了したことを報知している。
【０１３０】
なお、携帯端末機１０ｂは、アップロードが完了したことを、例えばベル音を発する機能や、バイブレーション振動を発生させる機能等で、携帯端末機１０ｂの利用者に、報知するように構成されていてもよい。
【０１３１】
また、上述する携帯端末機１０ａ（マスタ）が、携帯端末機１０ｂ（スレーブ）の構成を含むように構成されていてもよい。
【０１３２】
（本実施形態に係る通信システムの動作）
上記の構成を具備する通信システムの動作について、図７乃至図１４を参照して説明する。
【０１３３】
図７は、本実施形態に係る通信システムにおける動作の概略を示すフローチャートである。
【０１３４】
図７に示すように、本実施形態に係る通信システムでは、グループ化処理ステップＳ１０００と、アップロード処理ステップ２０００と、アクセス処理ステップＳ３０００とが実施される。以下に、各処理ステップにおける具体的動作について説明する。
【０１３５】
初めに、かかる通信システムの携帯端末機１０ａ（マスタ）及び携帯端末機１０ｂ（スレーブ）におけるグループ化処理ステップＳ１０００について説明する。
【０１３６】
まず、図８を参照しながら、携帯端末機１０ａ（マスタ）におけるグループ化処理ステップＳ１０００の動作について説明する。
【０１３７】
（グループ化処理の動作）
図８に示すステップＳ１０１１において、携帯端末機１０ａ（マスタ）の利用者による所定の操作（例えば、ボタンの押下）に基づいて、携帯端末機１０ａは、近距離無線通信を用いて、携帯端末機１０ｂ〜ｎ（スレーブ）を検索し、携帯端末機１０ｂ〜ｎが存在すると判断した場合、ステップＳ１０１２の動作を行い、存在しないと判断した場合、動作を終了する。
【０１３８】
ステップＳ１０１２において、携帯端末機１０ａは、例えば、携帯端末機１０ｂが存在すると判断し、グループ化処理を実行する。
【０１３９】
そして、携帯端末機１０ａの制御部１０２は、携帯端末機１０ｂの制御部２０２と「ユーザ情報」を送受信し、「グループ情報」を生成する。
【０１４０】
また、この時、制御部１０２は、「グループＩＤ」を生成する。
【０１４１】
ステップＳ１０１３において、携帯端末機１０ａの利用者は、記憶部１０６に記憶される「画像情報」を画像として表示部１０８に表示しながら、コンテンツとして公開する画像を選択する。
【０１４２】
そして、制御部１０２は、ユーザに選択された画像の画像情報に基づいて、「グループ画像情報」と「画像数」とを生成する。
【０１４３】
なお、携帯端末機１０ａでは、後述するアップロード処理を行うまでは、ステップＳ１０１３の動作をいつでも実施することが可能である。
【０１４４】
ステップＳ１０１４において、ＵＲＬ情報生成部１０３１は、予め記憶されるサーバアドレスと、カレンダー機能と、乱数発生機能とに基づいて、「ＵＲＬ情報」を生成する。
【０１４５】
ステップＳ１０１５において、認証情報成部１０３２は、乱数発生機能に基づいて、「認証情報」を生成する。
【０１４６】
また、アクセス情報生成部１０３は、「ＵＲＬ情報」と「認証情報」とを含む「アクセス情報」を生成する。
【０１４７】
ステップＳ１０１６において、リンク情報生成部１０５は、アクセス情報生成部１０３で生成された「アクセス情報」にリンク付けられたリンク情報として、「アイコン情報」を生成する、また、リンク情報生成部１０５は、「サムネイル」と、「アクセス可／不可情報（アクセス不可）」を生成する。
【０１４８】
また、識別子生成部１０４は、カレンダー機能に基づいて、「ラベル情報」を生成する。
【０１４９】
ステップＳ１０１７において、制御部１０２は、「グループＩＤ」と「アクセス情報」とを携帯端末機１０ｂ（スレーブ）へ送信する。
【０１５０】
なお、この時、制御部１０２は、「アクセス情報」と共に、「サムネイル」と「画像数」とを送信してもよい。
【０１５１】
ここで、本実施形態では、制御部１０２は、「アクセス情報」と共に、「サムネイル」と「画像数」とを送信する場合を例に以後の動作を説明する。
【０１５２】
次に、図９を参照しながら、携帯端末機１０ｂ（スレーブ）におけるグループ化処理ステップＳ１０００の動作について説明する。
【０１５３】
図９に示すステップＳ１０２１において、携帯端末機１０ｂ（スレーブ）の利用者による所定の操作（ボタンの押下等）に基づいて、携帯端末機１０ｂは、近距離無線通信を用いて、携帯端末機１０ａ（マスタ）を検索し、携帯端末機１０ａが存在すると判断した場合、ステップＳ１０２２の動作を行い、存在しないと判断した場合動作を終了する。
【０１５４】
ステップＳ１０２２において、携帯端末機１０ｂは、例えば、携帯端末機１０ａが存在すると判断し、グループ化処理を実行する。
【０１５５】
そして、携帯端末機１０ｂの制御部２０２は、通信部２０１を介して、携帯端末機１０ａの制御部１０２と「ユーザ情報」を送受信し、「グループ情報」を生成する。
【０１５６】
ステップＳ１０２３において、携帯端末機１０ｂの通信部２０１は、図８のステップＳ１０１７において、携帯端末機１０ａから送信された「グループＩＤ」と、「アクセス情報」と、「サムネイル」と、「画像数」とを受信する。
【０１５７】
ステップＳ１０２４において、リンク情報生成部２０４は、ステップＳ１０２３で受信した「アクセス情報」にリンク付けられる「アイコン情報」を生成する。
【０１５８】
また、リンク情報生成部２０４は、「アクセス可／不可情報（アクセス不可）」を生成する。
【０１５９】
また、識別子生成部２０３は、カレンダー機能により、「ラベル情報」を生成する。
【０１６０】
また、記憶部２０５は、上述する「アイコン情報」と、「アクセス可／不可情報」と、「ラベル情報」とを、受信した「グループＩＤ」と関連付けて記憶する。
【０１６１】
ここで、携帯端末機１０ｂの表示部２０７で表示されるアイコン及びサムネイル画像について、図１０を参照して説明する。
【０１６２】
図１０に示すように、この時、記憶部２０５で記憶される「アクセス可／不可情報」は、“アクセス不可”であるため、表示部２０７は、サムネイル画像Ｉ１００ａをグレー画像で表示する。
【０１６３】
なお、ステップＳ１０２３において、携帯端末機１０ａからサムネイルが送信されていない場合、表示部２０７は、図１０に示すように、サムネイル画像Ｉ１００ｂの領域に例えば“×”のマークを表示するように構成されていてもよい。
【０１６４】
（アップロード処理の動作）
次に、かかる通信システムの携帯端末機１０ａ（マスタ）及び携帯端末機１０ｂ（スレーブ）におけるアップロード処理ステップＳ２０００について説明する。
【０１６５】
まず、図１１を参照しながら、携帯端末機１０ａ（マスタ）におけるアップロード処理ステップＳ２０００の動作について説明する。
【０１６６】
また、図１１のフローチャートは、コンテンツサーバ２０と通信を行う携帯端末機１０ａ（マスタ）の動作を示している。
【０１６７】
図１１に示すステップＳ２０１１において、携帯端末機１０ａ（マスタ）の利用者による所定の操作（例えば、ボタンの押下）に基づいて、表示部１０８に表示されるアイコンが選択される。
【０１６８】
ステップＳ２０１２において、携帯端末機１０ａのアップロード処理部１０７は、選択されたアイコンの「アイコン情報」に関連付けられている「グループＩＤ」に基づいて、当該「グループＩＤ」に関連付けられている「アクセス情報」を選択する。
【０１６９】
そして、アップロード処理部１０７は、選択した「アクセス情報」に含まれる「認証情報」を、コンテンツサーバ２０の認証機能へ保存する。
【０１７０】
また、アップロード処理部１０７は、かかるアクセス情報に含まれる「ＵＲＬ情報」に示されるディレクトリを、コンテンツサーバ２０に作成する。
【０１７１】
また、アップロード処理部１０７は、「アイコン情報」に関連付けられている「グループＩＤ」に基づいて、当該「グループＩＤ」に関連付けてられている「グループ画像情報」を選択する。
【０１７２】
そして、アップロード処理部１０７は、選択した「グループ画像情報」に含まれるファイル名に基づいて、記憶部１０６に記憶される「画像情報」を選択し、選択した「画像情報」をコンテンツサーバ２０に作成したディレクトリへ保存する。
【０１７３】
ステップＳ２０１３において、アップロード処理部１０７は、アップロード処理が完了すると、「グループＩＤ」と、携帯端末機１０ａ（マスタ）の利用者の「ユーザ名」と、アクセスが可能になったことを知らせる「アクセス可」の情報とを含む「アップロード情報」を生成する。
【０１７４】
そして、アップロード処理部１０７は、記憶部１０６に記憶される「グループ情報」に含まれる通知先アドレス（例えば電子メールアドレス）を使用して、生成した「アップロード情報」を携帯端末機１０ｂ（スレーブ）へ送信する。
【０１７５】
また、この時、リンク情報生成部１０５は、「アクセス可／不可情報」を“アクセス不可”から“アクセス可”に変換する。
【０１７６】
また、表示部１０８は、「アクセス可／不可情報」が“アクセス可”に変換されると、サムネイル画像Ｉ１２の表示を、グレー画像からカラー画像へ変更して表示する。
【０１７７】
次に、図１２を参照しながら、携帯端末機１０ｂ（スレーブ）におけるアップロード処理ステップＳ２０００の動作について説明する。
【０１７８】
図１２に示すステップＳ２０２１において、携帯端末機１０ｂ（スレーブ）の通信部２０１は、図１１のステップＳ２０１３で携帯端末機１０ａから送信された「アップロード情報」を受信する。
【０１７９】
そして、リンク情報生成部２０４は、「アップロード情報」に含まれる「アクセス可」の情報に基づいて、「アクセス可／不可情報」を“アクセス不可”から“アクセス可”に変換する。
【０１８０】
ステップＳ２０２２において、表示部２０７は、「アクセス可／不可情報」が“アクセス可”に変換されたため、サムネイル画像Ｉ１２の表示を、グレー画像からカラー画像へ変更して表示し、携帯端末機１０ｂの利用者に、アップロードが完了したことを報知する。
【０１８１】
なお、携帯端末機１０ｂは、アップロードが完了したことを、例えばベル音を発する機能や、バイブレーション振動を発生させる機能等で、携帯端末機１０ｂの利用者に、報知するように構成されていてもよい。
【０１８２】
（アクセス処理の動作）
次に、かかる通信システムの携帯端末機１０ｂ（スレーブ）におけるアクセス処理ステップＳ３０００について説明する。
【０１８３】
なお、アクセス処理ステップＳ３０００の動作は、携帯端末機１０ａ（マスタ）でも行うことが可能である。
【０１８４】
本実施形態においては、携帯端末機１０ｂでの動作を例に説明する。
【０１８５】
図１３のステップＳ３０２１において、携帯端末機１０ｂ（スレーブ）のの利用者は、表示部２０７に表示されるサムネイル画像がカラー画像のアイコン（アップロード処理が完了されたアイコン）を選択する。
【０１８６】
ステップＳ３０２２において、アクセス処理部２０６は、選択されたアイコンの「アイコン情報」に関連付けられている「グループＩＤ」に基づいて、当該「グループＩＤ」に関連付けられている「アクセス情報」を選択する。
【０１８７】
また、アクセス処理部２０６は、選択した「アクセス情報」に含まれる「ＵＲＬ情報」に基づいて、移動通信ネットワーク２と、ゲートウェイ３と、インターネット１とを介して、コンテンツサーバ２０のディレクトリにアクセスする。
【０１８８】
また、この時、アクセス処理部２０６は、選択した「アクセス情報」に含まれる「認証情報」を、コンテンツサーバ２０の認証機能へ送信する。
【０１８９】
ステップＳ３０２３において、アクセス処理部２０６は、コンテンツサーバ２０の認証機能から、当該「ＵＲＬ情報」に示されるディレクトリへのアクセスが許可され、コンテンツサーバ２０に保存されるコンテンツを、表示部２０７に表示する。
【０１９０】
（本実施形態に係る通信システムの作用・効果）
本実施形態に係る通信システムによれば、ＵＲＬ情報及び認証情報等の重要な情報は、携帯端末機１０ａ（マスタ）と携帯端末機１０ｂ〜ｎ（スレーブ）との間で、近距離無線通信で互いに近接しながら通信するので、第三者にＵＲＬ情報及び認証情報を取得され、公開したコンテンツが閲覧されることを低減できる。
【０１９１】
また、かかる通信システムによれば、ＵＲＬ情報と認証情報とを含むアクセス情報にリンク付けされるリンク情報を生成するので、携帯端末機１０の利用者が、当該リンク情報を選択するだけでアップロード処理及びアクセス処理を行うことが可能になり、従来行っていたＵＲＬ情報の入力作業や認証情報の入力作業が、不要になる。従って、機器の操作が苦手なユーザでも、サーバへコンテンツをアップロードするアップロード処理と、アップロードされたコンテンツを閲覧するアクセス処理とを容易に行うことが出来る。
【０１９２】
（変更例１）
なお、携帯端末機１０ｂ（スレーブ）は、ラベル情報と、アクセス情報とを他の機器へ転送する転送部をさらに具備していてもよい。
【０１９３】
具体的に、携帯端末機１０ｂの転送部は、通信部２０１を介して、「グループＩＤ」と「アクセス情報」と「ラベル情報」とを、例えば、パソコンやテレビ等の他の機器へ、転送するように構成されていてもよい。
【０１９４】
ここで、通信部２０１と他の機器との間における通信技術は、上述した近距離無線通信であってもよいし、ＵＳＢ等の有線回線技術を使用した通信であってもよい。かかる変更例によれば、ラベル情報でどのようなコンテンツを示すアクセス情報であるかを識別しながら、携帯端末機１０よりも画面が大きいパソコンやテレビ等で、保存されるコンテンツを多く友人たちと閲覧して楽しむことができる。
【０１９５】
また、携帯端末機１０に比べ、通信回線の容量が大きいので、大容量の静止画像や動画像を閲覧して楽しむことが出来る。
【０１９６】
（変更例２）
なお、表示部２０７は、携帯端末機１０ｂ（スレーブ）が携帯端末機１０ａ（マスタ）からアップロードの通知を受けた場合、アップロードされていない識別子よりも、アップロードされた識別子を表示部２０７の表示領域に優先して表示するように構成されていてもよい。
【０１９７】
具体的に、表示部２０７は、図１４に示すように、複数のラベルを表示するように構成されている。
【０１９８】
また、リンク情報生成部２０４は、カレンダー機能を有しており、携帯端末機１０ｂ（スレーブ）が、携帯端末機１０ａ（マスタ）から「アップロード情報」を受信した際、「アップロード情報」に含まれる「グループＩＤ」に関連付けて「アップロード年月日情報（図示せず）」を生成するように構成されている。
【０１９９】
また、当該「アップロード情報」に含まれる「グループＩＤ」と「ユーザ名」と「アクセス可」とに基づいて、「アクセス可／不可情報」を、「アクセス可」に変更するように構成されている。
【０２００】
そして、表示部２０７は、「ラベル情報」と「アップロード年月日情報」を対応させ、新しい「アップロード年月日情報」に対応する「ラベル情報」を、図１４に示すように、ラベルとして、例えば表示領域の上部に優先して表示するように構成されている。
【０２０１】
かかる変更例によれば、携帯端末機１０の利用者は、コンテンツがアップロードされたことをすぐに判別することができる。また、アイコンが時系列で並べられるので、視覚的に、新しいコンテンツか古いコンテンツかをすぐに判断できる。
【図面の簡単な説明】
【０２０２】
【図１】本実施形態に係る通信システムの全体構成を示す全体図である。
【図２】本実施形態に係る携帯端末機１０ａ（マスタ）のブロック図である。
【図３】本実施形態に係る携帯端末機１０ａ（マスタ）のブロック図である。
【図４】本実施形態に係る携帯端末機１０ｂ（スレーブ）のブロック図である。
【図５】（ａ）本実施形態に係るグループ情報を示す図である。（ｂ）本実施形態に係るグループ画像情報を示す図である。（ｃ）本実施形  態に係るアクセス情報を示す図である。（ｄ）本実施形態に係るラベル情報を示す図である。（ｅ）本実施形態に係るアイコン情報を示す図である。（ｆ）本実施形態に係るアップロード情報を示す図である。
【図６】本実施形態に係るアイコンのイメージ図である。
【図７】本実施形態に係る通信システムの全体動作を示すフローチャートである。
【図８】本実施形態に係る携帯端末機１０ａ（マスタ）の動作を示すフローチャートである。
【図９】本実施形態に係る携帯端末機１０ｂ（スレーブ）の動作を示すフローチャートである。
【図１０】本実施形態に係るアイコンのイメージ図である。
【図１１】本実施形態に係る携帯端末機１０ａ（マスタ）の動作を示すフローチャートである。
【図１２】本実施形態に係る携帯端末機１０ｂ（スレーブ）の動作を示すフローチャートである。
【図１３】本実施形態に係る携帯端末機１０ｂ（スレーブ）の動作を示すフローチャートである。
【図１４】変更例１に係るラベルを示すイメージ図である。
【符号の説明】
【０２０３】
Ｉ１０…アイコン、Ｉ１００ａ…サムネイル画像、Ｉ１００ｂ…サムネイル画像、Ｉ１１…画像数、Ｉ１２…サムネイル画像、Ｉ１３…ラベル、ＩＤ…グループ、ＩＤ…ユーザ、１…インターネット、１〜ｎ…画像、２…移動通信ネットワーク、３…ゲートウェイ、１０…携帯端末機、１０ａ…携帯端末機、１０ｂ…携帯端末機、１０ｂ〜ｎ…携帯端末機、２０…コンテンツサーバ、１０１…通信部、１０２…制御部、１０３…アクセス情報生成部、１０４…識別子生成部、１０５…リンク情報生成部、１０６…記憶部、１０７…アップロード処理部、１０８…表示部、１１２…表示部、２０１…通信部、２０２…制御部、２０３…識別子生成部、  ２０４…リンク情報生成部、２０５…記憶部、２０６…アクセス処理部、  ２０７…表示部、１０３１…ＵＲＬ情報生成部、１０３２…認証情報成部、２０００…アップロード処理ステップ、
【図１】
2007174388.tif 000003
【図２】
2007174388.tif 000004
【図３】
2007174388.tif 000005
【図４】
2007174388.tif 000006
【図５】
2007174388.tif 000007
【図６】
2007174388.tif 000008
【図７】
2007174388.tif 000009
【図８】
2007174388.tif 000010
【図９】
2007174388.tif 000011
【図１０】
2007174388.tif 000012
【図１１】
2007174388.tif 000013
【図１２】
2007174388.tif 000014
【図１３】
2007174388.tif 000015
【図１４】
2007174388.tif 000016